(57)【要約】【課題】  リーケージトランスを使用した回路においてHigh側出力にショートが生じた場合であっても、確実に回路保護動作のできるインバータの保護回路を提供する。【解決手段】  トランスの異なる二次巻線側出力により２本の冷陰極蛍光管を点灯させるインバータの保護回路において、二次巻線側出力の位相が反転するように出力されてそれぞれの冷陰極管を点灯するとともに、当該トランスのコアの電気的特性を検出する手段を具え、当該トランスの電気的特性の変化を検出してインバータの駆動回路を制御する。【選択図】  図１
2007172853.tif 000002
【特許請求の範囲】
【請求項１】
トランスの異なる二次巻線側出力により２本の冷陰極蛍光管を点灯させるインバータの保護回路において、
二次巻線側出力の位相が反転するように出力されてそれぞれの冷陰極管を点灯するとともに、当該トランスのコアの電気的特性を検出する手段を具え、当該トランスの電気的特性の変化を検出してインバータの駆動回路を制御することを特徴とするインバータの保護回路。
【請求項２】
２つのトランスの二次巻線側出力により２本の冷陰極蛍光管を点灯させるインバータの保護回路において、
二次巻線側出力の位相が反転するように出力されてそれぞれの冷陰極管を点灯するとともに、当該２つのトランスのコアの電気的特性を検出する手段を具え、当該トランスの電気的特性の変化を検出してインバータの駆動回路を制御することを特徴とするインバータの保護回路。
【請求項３】
前記電気的特性がトランスのコアの電圧であり、コアの電圧の変化を基準電圧と比較してインバータの駆動回路を制御する請求項１または請求項２記載のインバータの保護回路。
【発明の詳細な説明】
【技術分野】
【０００１】
本発明は、冷陰極蛍光管（CCFL）を点灯させるためのインバータの保護回路に係るもので、特に、２本（またはそれ以上）のCCFLを並列点灯するために位相反転駆動方式によって点灯させるインバータの保護回路に関するものである。
【背景技術】
【０００２】
液晶表示装置のバックライトとしてCCFLが用いられており、そのCCFLを点灯させるのに十分な高圧電圧を得るためにインバータが用いられる。駆動回路の駆動スイッチング信号によってトランスの二次側から交流高電圧を得て点灯させるものである。画面の大型化当に伴って複数のCCFLを並列に点灯させたり、Ｕ字管を用いることが多くなっており、その場合に点灯状態を安定させるために並列な二本のＣＣＦＬを駆動させる信号の位相を反転させられるのが一般的である。
【０００３】
また、部品点数を減らすために１つの一次側巻線に対して２つの二次側巻線を形成するいわゆる２in１構造のトランスが多く用いられるようになっている。CCFLを点灯させるためにトランスの二次側には高電圧が発生するので、トランスの二次側のHigh側がショートした（CCFLがショートした場合など）場合には、駆動回路の動作を停止させてインバータ回路を保護することも必要となる。
【０００４】
CCFLの戻り電流がない仕様の従来のインバータ回路においては、図５に示したように、トランス51のLow出力より電流を検出して保護動作を行っている。この保護動作は、結合を落として使用する場合が多いリーケージトランスに使用した場合にはHigh出力側のショートの検出が困難となる。これは、結合の悪いトランスのHigh出力がショートした場合には、リーケージインダクタンスによって電流制御を行うために過電流が流れず、定常時との差が小さくなるためである。
【特許文献１】特開２０００−１８８１９３号公報
【特許文献２】特開２００２−３００７８４号公報
【発明の開示】
【発明が解決しようとする課題】
【０００５】
本発明は、リーケージトランスを使用した回路においてHigh側出力にショートが生じた場合であっても、確実に回路保護動作のできるインバータの保護回路を提供するものである。
【課題を解決するための手段】
【０００６】
本発明は、コアの電位等の電気的特性を検出してフィードバックを掛けることによって、上記の課題を解決するものである。すなわち、トランスの異なる二次巻線側出力により２本の冷陰極蛍光管を点灯させるインバータの保護回路において、二次巻線側出力の位相が反転するように出力されてそれぞれの冷陰極管を点灯するとともに、当該トランスのコアの電気的特性を検出する手段を具え、当該トランスの電気的特性の変化を検出してインバータの駆動回路を制御することに特徴を有するものである。
【発明の効果】
【０００７】
本発明によれば、従来リーケージトランスでは困難であったHigh側出力のショートに対する保護動作を確実に行うことができる。また、従来は二次側にそれぞれ1個必要であった検出回路を半減させることも可能となり、回路の小型化とともにコスト低減の効果も得られる。また、1次側に検出素子を設けることも可能である。
【発明を実施するための最良の形態】
【０００８】
High側出力によってトランスに流れる電流に変化が生じることによって、通常の状態とは異なる正弦波出力が発生する。これをトランスのコアの電位の変化として検出して平滑化して直流電圧出力とし、これを基準電圧と比較器によって比較して得られる出力を駆動回路に帰還させる。異常時には駆動回路の動作を停止させてインバータ回路の回路素子を保護することができる。
【実施例】
【０００９】
以下、図面を参照して、本発明の実施例について説明する。図１は、本発明の実施例を示す回路図で、１入力２出力の位相反転トランスを用いた例である。トランス11の二次側の２つの二次巻線のHigh側にCCFL13が接続され、Low側は接地されている。通常動作時のトランスのコアの電位は２つの高電圧出力により誘起される電圧が打ち消しあうために、図２に示すように、ほとんど０となっている。
【００１０】
保護回路の動作対象となるHigh側出力の一方がLow側とショートした場合、あるいはHigh側出力がGNDとショートした場合には、その一方の出力がGNDレベルとなって、図３に示したように、他方のHigh側出力の影響だけが現れることになる。すなわち、このショートしていない側のHigh出力によって生じるコアの電位を電圧検出素子15で検出して平滑整流した後に比較器17によって基準電圧と比較する。その結果を駆動回路19に帰還させて保護度動作を行う。コアの電位の検出は、コアの底面に接するか近接させた電極で行うことができる。
【００１１】
なお、図４に示したように、1入力1出力トランスを組み合わせて、出力側２次巻線のLow側をGNDに接続し、High側をCCFLに接続するインバータ回路にも応用することができる。この場合には、２つのトランスのコアに接触するか近接するかした電極を用いるとよい。また、コアの電圧を検出する電極だけでなく、コアの電気的特性を検出してこれを電圧に変換して基準電圧と比較することも可能である。
【産業上の利用可能性】
【００１２】
本発明は、位相反転させて２本（あるいはそれ以上）のCCFLを点灯するインバータに広く利用でき、特別な素子を付加する必要もないので小型のインバータに有用である。
【図面の簡単な説明】
【００１３】
【図１】本発明の実施例を示す回路図
【図２】定常時の動作を示す説明図
【図３】High側ショート時の動作を示す説明図
【図４】本発明の他の実施例を示す回路図
【図５】従来のインバータの保護回路を示す回路図
【符号の説明】
【００１４】
11、41、51：トランス
13、43、53：CCFL
15、45：電圧検出素子
17：比較器
19、49、59：駆動回路
【図１】
2007172853.tif 000003
【図２】
2007172853.tif 000004
【図３】
2007172853.tif 000005
【図４】
2007172853.tif 000006
【図５】
2007172853.tif 000007